(57)【要約】【課題】フランジ付近が肉厚とならず、かつ、接合箇所から飲料の侵入がない二重容器を提供する。【解決手段】二重容器は、外容器１と内容器２とからなる。内容器２は外容器１に内挿され、断熱空間３が形成される。二重容器は、上部嵌合構造３０を備える。外容器嵌合部３１は、外容器１の内壁に設けられる。内容器フランジ部２３は外周から下方に延設され、内容器弾性変形部３２が形成され、さらに、先端が斜め上方に返されて形成される爪部３３を有する。内容器弾性変形部３２と爪部３３は内容器嵌合部を形成する。容器２が外容器１に挿入される際、挿入過程において、爪部３３は外容器胴部１２の内壁に当接され、内容器弾性変形部３２は外容器胴部１２の形状にあわせて変形する。さらに、爪部３３は凹部３１にて係止される。内容器弾性変形部３２が変形に対し変形前の形状に戻ろうとすることにより、爪部３３は外容器嵌合部３１を押圧する。【選択図】図１
2019081557.tif 000002
【特許請求の範囲】
【請求項１】
外容器と、前記外容器に内挿される内容器とからなり、断熱空間が形成される二重容器であって、
前記外容器上部に設けられた外容器嵌合部に前記内容器上部に設けられた内容器嵌合部を嵌める上部嵌合構造
を備え、
前記外容器嵌合部は、前記外容器の内壁に設けられる
ことを特徴とする二重容器。
【請求項２】
前記内容器嵌合部は、内容器フランジ外周から上方または下方に延設される
ことを特徴とする二重容器。
【請求項３】
前記内容器嵌合部は前記外容器嵌合部に比べて低剛性である
ことを特徴とする請求項１または２記載の二重容器。
【請求項４】
前記内容器の底部は半球状である
ことを特徴とする請求項１〜３いずれか記載の二重容器。
【請求項５】
前記内容器嵌合部は、内容器フランジ外周から下方に延設され、先端が斜め上方に返されている
ことを特徴とする請求項１〜４いずれか記載の二重容器。
【請求項６】
開口部に被せられる蓋を備え、
前記内容器のフランジ面は、前記外容器のフランジ面より高い位置に形成される
ことを特徴とする請求項１〜４いずれか記載の二重容器。
【発明の詳細な説明】
【技術分野】
【０００１】
本発明は、外容器と内容器とからなり、断熱空間が形成される二重容器に関する。
【背景技術】
【０００２】
容器には熱い飲料や冷たい飲料等が入れられることがある。
【０００３】
熱い飲料は高温が維持されることが好ましい。冷たい飲料は低温が維持されることが好ましい。また、熱い飲料が入った容器を持った時、熱くて不快感を覚えるおそれもある。また、冷たい飲料が入った容器を持った時、冷たくて不快感を覚えるおそれもある。
【０００４】
内容物の保温および持ち手への熱伝達抑制の観点から、断熱空間が形成された二重容器が用いられている。
【０００５】
樹脂製の外容器に樹脂製の内容器を積み重ねた二重容器が一般的である（例えば特許文献１）。
【先行技術文献】
【特許文献】
【０００６】
【特許文献１】特許４６１２３１３号公報
【発明の概要】
【発明が解決しようとする課題】
【０００７】
外容器に内容器を積み重ねる場合、内容器が外容器内でぐらつかない様に接合構造が重要となる。特許文献１では、外容器の断面カール状のフランジに内容器の断面半円状のフランジを嵌め合わせる例と、外容器の直立した胴部上端に内容器のフランジを掛止させる例とが開示されている。
【０００８】
２つの例とも、接合箇所から飲料の侵入がないように、内容器のフランジが外側になり、接合箇所を覆うように構成されている。
【０００９】
その結果、二重容器のフランジ付近が肉厚となる。容器のデザイン性に制約がある（言い換えると、外観が野暮ったく見える）とともに、飲料を飲むときの唇の触感が悪く、飲みにくく感じるおそれがある。
【００１０】
本発明は、上記課題を解決するものであり、フランジ付近が肉厚とならず、かつ、接合箇所から飲料の侵入がない二重容器を提供することを目的とする。
【課題を解決するための手段】
【００１１】
上記の目的を達成するために、本発明の二重容器は、外容器と、前記外容器に内挿される内容器と、からなる。外容器と内容器の間に断熱空間が形成される。二重容器は、前記外容器上部に設けられた外容器嵌合部に前記内容器上部に設けられた内容器嵌合部を嵌める上部嵌合構造を備える。前記外容器嵌合部は、前記外容器の内壁に設けられる。
【００１２】
これにより、外容器のフランジが内容器により覆われることがなく、外側に位置する。その結果、二重容器のフランジ付近が肉厚とならない。
【００１３】
上記発明において好ましくは、前記内容器嵌合部は、内容器フランジ外周から上方または下方に延設される。
【００１４】
これにより、内容器嵌合部は板バネとして機能し、外容器嵌合部を押圧する。
【００１５】
上記発明において好ましくは、前記内容器嵌合部は前記外容器嵌合部に比べて低剛性である。
【００１６】
これにより、内容器嵌合部は板バネとして機能し、外容器嵌合部を押圧する。
【００１７】
上記発明において好ましくは、前記内容器の底部は半球状である。
【００１８】
上部嵌合構造が機能することにより、容器下部の接合が不要になり、容器下部に係る制約が無くなる。たとえば、内容器の底部を半球状にすることができる。半球状底部では、内容物が流動体（例えばヨーグルトなど）の場合、飲食時に隅部に内容物が残ることが無くなる。
【００１９】
上記発明において好ましくは、前記内容器嵌合部は、内容器フランジ外周から下方に延設され、先端が斜め上方に返されている。
【００２０】
これにより、内容器嵌合部先端が斜め上方に返されて形成される爪部が、外容器嵌合部に係止される。
【００２１】
上記発明において好ましくは、二重容器は開口部に被せられる蓋を備える。前記内容器のフランジ面は、前記外容器のフランジ面より高い位置に形成される。
【００２２】
これにより、蓋を被せる際に、さらに確実に嵌合される。
【発明の効果】
【００２３】
本発明の二重容器よれば、フランジ付近が肉厚とならない。その結果、容器のデザイン性に制約がなく（言い換えると、スタイリッシュな外観を維持できる）とともに、飲料を飲むときの唇の触感が良く、飲みやすく感じる。
【００２４】
また、本発明の二重容器よれば、接合箇所から飲料の侵入がない。
【図面の簡単な説明】
【００２５】
【図１】概略構成図（第１実施形態）
【図２】嵌合構造拡大図（第１実施形態）
【図３】動作説明図（第１実施形態）
【図４】概略構成図（第２実施形態）
【図５】嵌合構造拡大図（第２実施形態）
【図６】動作説明図（第２実施形態）
【図７】概略構成図（第３実施形態）
【図８】嵌合構造拡大図（第３実施形態）
【図９】動作説明図（第３実施形態）
【図１０】動作説明図（第４実施形態）
【図１１】動作説明図（第５実施形態）
【図１２】動作説明図（第６実施形態）
【図１３】半透明容器嵌合前
【図１４】半透明容器嵌合後
【発明を実施するための形態】
【００２６】
〜共通構成〜
図１〜１２に基づいて本発明に係る第１〜６実施形態について説明する。第１〜６実施形態に係る共通構成について説明する。
【００２７】
二重容器は、外容器１と内容器２と断熱空間３とを備える。内容器２は外容器１に内挿され、外容器１と内容器２との間には断熱空間３が形成される。
【００２８】
外容器１は、底部１１と、胴部１２と、フランジ部１３とを備える。内容器２は、底部２１と、胴部２２と、フランジ部２３（ただし、第６実施形態のみフランジ部２３なし）とを備える。
【００２９】
底部１１，２１は、特に限定されるものでなく、従来の一般的な容器と同様でよい。ただし、底部２１を半球状とすることにより、内容物が流動体（例えばヨーグルトなど）の場合、飲食時に隅部に内容物が残ることが無くなる。
【００３０】
胴部１２，２２は概略形状として略逆円錐台形状に形成される。すなわち、フランジ部１３，２３から底部１１，２１に向かって縮径するように形成される。
【００３１】
フランジ部１３，２３は、胴部１２，２２頂部から外周略水平方向に突出されている。
【００３２】
二重容器は上部嵌合構造３０，４０，５０，６０，７０，８０を備える。以下、上部嵌合構造３０，４０，５０，６０，７０，８０の詳細構成および動作について説明する。
【００３３】
〜第１実施形態〜
図１は第１実施形態に係る概略構成図である。図２は第１実施形態に係る嵌合構造の拡大図である。図３は第１実施形態に係る動作説明図である。第１実施形態の上部嵌合構造３０について説明する。
【００３４】
外容器胴部１２の上部であって内壁において、凹部（外容器嵌合部）３１（外壁側から見ると凸部）が形成されている。
【００３５】
内容器フランジ部２３は外周から下方に延設され、内容器弾性変形部３２が形成されている。
【００３６】
さらに、内容器弾性変形部３２は、先端が斜め上方に返されて形成される爪部３３を有する。内容器弾性変形部３２と爪部３３とは、内容器嵌合部を形成する。
【００３７】
内容器１中心軸から爪部３３までの距離は、外容器２中心軸から凹部３１までの距離より、長い。
【００３８】
また、内容器弾性変形部３２は外容器嵌合部３１に比べて低剛性（変形しやすい）であることが好ましい。
【００３９】
したがって、内容器２が外容器１に挿入される際、挿入過程において、爪部３３は外容器胴部１２の内壁に当接され、内容器弾性変形部３２は外容器胴部１２の形状にあわせて変形する。さらに、爪部３３は凹部３１にて係止される。
【００４０】
内容器弾性変形部３２は変形に対し変形前の形状に戻ろうとする。これにより、爪部３３は外容器嵌合部３１を押圧する。
【００４１】
すなわち、内容器弾性変形部３２が板バネとして機能することにより、上部嵌合構造３０が機能する。
【００４２】
〜第２実施形態〜
図４は第２実施形態に係る概略構成図である。図５は第２実施形態に係る嵌合構造の拡大図である。図６は第２実施形態に係る動作説明図である。第２実施形態の上部嵌合構造４０について説明する。
【００４３】
第１実施形態と同様に、外容器胴部１２の内壁に、凹部（外容器嵌合部）４１が形成されている。
【００４４】
但し、第２実施形態の凹部４１は、第１実施形態の凹部３１に比べて、フランジ部１３に近い位置に形成されている。
【００４５】
第１実施形態と同様に、内容器弾性変形部４２は、内容器フランジ２３外周から下方に延設されて形成され、爪部４３を有する。内容器弾性変形部４２と爪部４３とは、内容器嵌合部を形成する。
【００４６】
但し、第２実施形態の内容器弾性変形部４２は、第１実施形態の内容器弾性変形部３２に比べて、延設長が長い。
【００４７】
これにより、第２実施形態の上部嵌合構造４０は、第１実施形態の上部嵌合構造３０と同様に機能する。
【００４８】
但し、嵌合時、第１実施形態の内容器フランジ部２３天面は外容器フランジ部１３天面より低い位置に形成されるのに対し、第２実施形態の内容器フランジ部２３天面は外容器フランジ部１３天面よりやや高い位置に形成される。
【００４９】
二重容器は蓋５を備える。蓋５は二重容器の上部開口部に被せられ、外容器フランジ部１３外縁に嵌合される。
【００５０】
蓋５を設置する際に、蓋５は内容器フランジ部２３を押圧する。これに伴い、内容器弾性変形部４２下端が外周に開くように変形し、上部嵌合構造４０はより確実に機能する。
【００５１】
〜第３実施形態〜
図７は第３実施形態に係る概略構成図である。図８は第３実施形態に係る嵌合構造の拡大図である。図９は第３実施形態に係る動作説明図である。第３実施形態の上部嵌合構造５０について説明する。
【００５２】
外容器胴部１２の上部であって内壁において、凸部５１（外壁側から見ると凹部）が形成されている。
【００５３】
内容器フランジ部２３は外周から下方に延設され、内容器弾性変形部５２が形成されている。内容器フランジ部２３と内容器弾性変形部５２は内容器嵌合部を形成する。
【００５４】
内容器１中心軸から内容器フランジ部２３外縁までの距離は、外容器２中心軸から凸部５１までの距離より、長い。
【００５５】
また、内容器弾性変形部５２は外容器嵌合部（後述）に比べて低剛性（変形しやすい）であることが好ましい。
【００５６】
したがって、内容器２が外容器１に挿入される際、挿入過程において、内容器弾性変形部５２は外容器胴部１２の内壁に当接され、内容器弾性変形部５２は外容器胴部１２の形状にあわせて変形する。さらに、内容器フランジ部２３外縁が凸部５１を乗り越えた位置にて係止される。
【００５７】
このとき、内容器弾性変形部５２は変形により、外容器胴部１２であって凸部５１下部の所定位置５３と密着している。所定位置５３の下部には逆テーパ５４が設けられている。逆テーパ５４は上から下に向かって縮径する。内容器弾性変形部５２の下端は逆テーパ５４上に係止される。
【００５８】
外容器嵌合部は凸部５１と所定位置５３と逆テーパ５４とから構成される。
【００５９】
内容器弾性変形５２は変形に対し変形前の形状に戻ろうとする。これにより、内容器弾性変形５２は外容器嵌合部（のうち外容器胴部の所定位置５３）を押圧する。
【００６０】
すなわち、内容器弾性変形部５２が板バネとして機能することにより、上部嵌合構造５０が機能する。
【００６１】
〜第４〜６実施形態〜
図１０は第４実施形態に係る動作説明図である。第４実施形態の上部嵌合構造６０について説明する。
【００６２】
第３実施形態と同様に、外容器胴部１２の内壁に、外容器嵌合部（図示省略、図７および図８参照）が形成されている。
【００６３】
一方、第３実施形態の内容器弾性変形部５２は、内容器フランジ部２３外周から下方に延設されて形成されるのに対し、第４実施形態の内容器弾性変形部６２は、内容器フランジ部２３外周から上方に延設されて形成される。内容器フランジ部２３と内容器弾性変形部６２は内容器嵌合部を形成する。
【００６４】
内容器２が外容器１に挿入される際、挿入過程において、内容器弾性変形部６２は外容器胴部１２の内壁に当接され、内容器弾性変形部６２は外容器胴部１２の形状にあわせて変形する。さらに、内容器弾性変形部６２上端が凸部（図示省略、図７参照）を乗り越えた位置にて係止される。内容器弾性変形部６２下端は上から下に向かって縮径する逆テーパ（図示省略、図８参照）上に係止される。このとき、内容器弾性変形部６２は変形により、外容器胴部１２であって凸部下部の所定位置（図示省略、図８参照）と密着している。
【００６５】
これにより、第４実施形態の上部嵌合構造６０は、第３実施形態の上部嵌合構造５０と同様に機能する。
【００６６】
図１１は第５実施形態に係る動作説明図である。第５実施形態の上部嵌合構造７０について説明する。
【００６７】
第３実施形態と同様に、外容器胴部１２の内壁に、外容器嵌合部（図示省略、図７および図８参照）が形成されている。
【００６８】
一方、第３実施形態の内容器弾性変形部５２は、内容器フランジ部２３外周から下方に延設されて形成されるのに対し、第５実施形態の内容器弾性変形部７２は、内容器フランジ部２３外周自体である。内容器フランジ部２３と内容器弾性変形部７２は内容器嵌合部を形成する。
【００６９】
内容器２が外容器１に挿入される際、挿入過程において、内容器弾性変形部７２は外容器胴部１２の内壁に当接され、内容器弾性変形部７２は外容器胴部１２の形状にあわせて変形する。さらに、内容器弾性変形部７２が凸部（図示省略、図７参照）を乗り越えた位置にて係止される。内容器弾性変形部７２は上から下に向かって縮径する逆テーパ（図示省略、図８参照）上に係止される。このとき、内容器弾性変形部７２は変形により、外容器胴部１２であって凸部下部の所定位置（図示省略、図８参照）と密着している。
【００７０】
これにより、第５実施形態の上部嵌合構造７０は、第３実施形態の上部嵌合構造５０と同様に機能する。
【００７１】
図１２は第６実施形態に係る動作説明図である。第６実施形態の上部嵌合構造８０について説明する。
【００７２】
第３実施形態と同様に、外容器胴部１２の内壁に、外容器嵌合部（図示省略、図７および図８参照）が形成されている。
【００７３】
一方、第３実施形態の内容器弾性変形部５２は、内容器フランジ部２３外周から下方に延設されて形成されるのに対し、第６実施形態では内容器フランジ部２３がなく、内容器弾性変形部８２は、内容器胴部２２上部である。内容器弾性変形部８２は内容器嵌合部を形成する。
【００７４】
内容器２が外容器１に挿入される際、挿入過程において、内容器弾性変形部８２は外容器胴部１２の内壁に当接され、内容器弾性変形部８２は外容器胴部１２の形状にあわせて変形する。さらに、内容器弾性変形部８２が凸部（図示省略、図７参照）を乗り越えた位置にて係止される。内容器弾性変形部８２は上から下に向かって縮径する逆テーパ（図示省略、図８参照）上に係止される。このとき、内容器弾性変形部８２は変形により、外容器胴部１２であって凸部下部の所定位置（図示省略、図８参照）と密着している。
【００７５】
これにより、第６実施形態の上部嵌合構造８０は、第３実施形態の上部嵌合構造５０と同様に機能する。
【００７６】
〜効果〜
第１〜６実施形態において、外容器嵌合部は、外容器１の内壁に設けられており、内容器嵌合部は内容器２のフランジ２３等に設けられている。
【００７７】
すなわち、内容器２のフランジ２３が外容器１に内包され、外容器１のフランジ１３が覆われることがない。外容器１のフランジ１３のみが外側に位置する。
【００７８】
これにより、二重容器のフランジ付近が肉厚とならない。その結果、容器上部においてデザイン性に制約がなく（言い換えると、スタイリッシュな外観を維持できる）とともに、飲料を飲むときの唇の触感が良く、飲みやすく感じる。
【００７９】
また、上部嵌合構造３０〜８０において確実に嵌合されており、内容器２のフランジ２３が外側になくとも、上部嵌合構造からの飲料の侵入がない。
【００８０】
さらに、上部嵌合構造３０〜８０は、内容器２が外容器１内でぐらつかない様に、確実に接合できる。言い換えると、下部での接合は不要になる。その結果、下部での制約はなくなり、例えば、内容器２の底部２１を半球状とすることもできる。
【００８１】
ところで、断熱効果が必要とされない場合は、外容器１および内容器２それぞれ、独自の容器として用いることができる。特に外容器１においてはデザインが考慮されており、意匠性を維持できる。
【００８２】
〜備考〜
従来技術における二重容器においては、接合箇所から飲料の侵入がないように、内容器のフランジが外側になり、接合箇所を覆うように構成されている。
【００８３】
したがって、内容器２のフランジ２３を外容器１に内包させるという発想がなかった。
【００８４】
本願発明者は、上部嵌合構造３０〜８０をより確実に機能させることで、内容器２のフランジ２３を外容器１に内包させることを実現させた。以上の思考過程を経て、本願発明が完成されるに至った。
【００８５】
したがって、本願発明は、上記実施形態に限定されず、上記技術思想の範囲で種々の変更が可能である。
【００８６】
〜その他〜
【００８７】
外容器１および内容器２の材質等は特に限定されないが、例えば、透明または半透明の樹脂製であってもよい。
【００８８】
図１０は嵌合前の二重容器を示す図であり、図１１は嵌合後の二重容器を示す図である。
【００８９】
例えば、飲料提供業者のロゴやキャラクターデザインを内容器２に付してもよい。外容器１を介して視認可能とすることにより、外容器１にロゴ等を付す場合と異なる外観を演出できる。たとえば、光の加減で見え方が異なる。これにより、意匠性が向上する。
【００９０】
また、内容器２にロゴ等をふすことにより、摩擦等によりロゴが剥がれるおそれがない。これにより意匠性を維持できる。
【符号の説明】
【００９１】
１  外容器
２  内容器
３  断熱空間
５  蓋
１１  外容器底部
１２  外容器胴部
１３  外容器フランジ部
２１  内容器底部
２２  内容器胴部
２３  内容器フランジ部
３０，４０，５０，６０，７０，８０  上部嵌合構造
３１，４１  凹部（外容器嵌合部）
３２，４２，５２，６２，７２，８２  内容器弾性変形部（内容器嵌合部）
３３，４３  爪部（内容器嵌合部）
５１  凸部（外容器嵌合部）
５３  外容器胴部の所定位置（外容器嵌合部）
５４  逆テーパ（外容器嵌合部）
【図１】
2019081557.tif 000003
【図２】
2019081557.tif 000004
【図３】
2019081557.tif 000005
【図４】
2019081557.tif 000006
【図５】
2019081557.tif 000007
【図６】
2019081557.tif 000008
【図７】
2019081557.tif 000009
【図８】
2019081557.tif 000010
【図９】
2019081557.tif 000011
【図１０】
2019081557.tif 000012
【図１１】
2019081557.tif 000013
【図１２】
2019081557.tif 000014
【図１３】
2019081557.tif 000015
【図１４】
2019081557.tif 000016